(57)【要約】【課題】広告装置で表示する商品等の広告映像を商品購入見込み客に効率良く見てもらうことができる浄水供給装置を提供することを目的とする。【解決手段】カードリーダは会員カードから利用者情報を読み取り（ステップＳ１）制御装置に出力する。カードリーダが読み取った利用者情報から制御装置は利用者属性データベース５６に格納されている利用者属性を特定し（ステップＳ２）、特定した利用者属性に適合する属性の広告映像を広告映像属性データベース５７に格納されている中から選択し（ステップＳ３）、選択した属性の広告映像を広告映像データベース５８から読み出し、広告映像表示装置で表示する（ステップＳ４）。【選択図】        図４
2010067105.tif 000002
【特許請求の範囲】
【請求項１】
商品等の広告映像を表示する広告装置を設け、当該広告映像を利用者に見せることにより、容器載置口に載置した容器に逆浸透膜で水道水から精製した浄水を無料で供給する浄水供給装置において、
前記容器載置口の開口を開閉する扉を施錠する施錠手段を設け、前記浄水を供給して前記広告映像を表示しているときは前記扉を施錠し、前記浄水の供給と前記広告映像の表示の何れもが終了すると前記扉を開錠することを特徴とする浄水供給装置。
【請求項２】
前記広告装置は、利用者の属性を特定するための利用者情報が入力される情報入力手段と、前記情報入力手段に入力された利用者情報から特定した利用者属性と予め記憶している広告映像の属性とを比較して適合する属性の広告映像を選択する広告映像選択手段と、前記広告映像選択手段が選択した広告映像を表示する広告映像表示手段と、を備え、
前記逆浸透膜で水道水から精製した浄水を無料で供給するときは、個々の利用者属性に適合する属性の広告映像を表示することを特徴とする請求項１に記載の浄水供給装置。
【請求項３】
前記情報入力手段は、利用者が所有している会員カードから利用者情報を読み取ることを特徴とする請求項２に記載の浄水供給装置。
【請求項４】
前記情報入力手段は、利用者が入力する会員番号から利用者情報を読み取ることを特徴とする請求項２に記載の浄水供給装置。
【請求項５】
前記情報入力手段は、前記浄水を供給する容器に設けられた情報タグから利用者情報を読み取ることを特徴とする請求項２に記載の浄水供給装置。
【発明の詳細な説明】
【技術分野】
【０００１】
本発明は、逆浸透膜で水道水から浄水を精製し、当該精製した浄水を容器に供給する浄水供給装置に関するものである。
【背景技術】
【０００２】
逆浸透膜で水道水から精製した浄水を吐水ノズルから容器に供給して提供する浄水供給装置は、利用者が容器載置口の扉を開いて容器載置台に容器を載置し、カードを挿入または貨幣を投入して浄水吐水釦を押圧すると、逆浸透膜に浸透させて不純物を取り除いた浄水が吐水ノズルから容器に注がれて利用者に提供される（例えば特許文献１参照）。
【特許文献１】特開２００５−１６９３１４号公報
【発明の開示】
【発明が解決しようとする課題】
【０００３】
また、商品等の広告映像を表示する広告装置を設け、この広告映像を浄水供給装置の利用者に見せることにより、無料で浄水を提供するようにした浄水供給装置があり、顧客サービスの一環としてスーパーマーケット等に設置されている。
しかしながら、浄水供給装置の利用者に浄水を無料で提供し、商品等の広告映像を利用者に見せても、その広告内容を知らせたい商品購入見込み客に伝わったか分からず、商品購入に効率的に結びついたかが分からないという問題があった。
【０００４】
本発明は、上記実情に鑑みて、広告装置で表示する商品等の広告映像を商品購入見込み客に効率良く見てもらうことができる浄水供給装置を提供することを目的とする。
【課題を解決するための手段】
【０００５】
上記目的を達成するため、本発明の請求項１に係る浄水供給装置は、商品等の広告映像を表示する広告装置を設け、当該広告映像を利用者に見せることにより、容器載置口に載置した容器に逆浸透膜で水道水から精製した浄水を無料で供給する浄水供給装置において、
前記容器載置口の開口を開閉する扉を施錠する施錠手段を設け、前記浄水を供給して前記広告映像を表示しているときは前記扉を施錠し、前記浄水の供給と前記広告映像の表示の何れもが終了すると前記扉を開錠することを特徴とする。
【０００６】
また、本発明の請求項２に係る浄水供給装置は、上記請求項１において、前記広告装置は、利用者の属性を特定するための利用者情報が入力される情報入力手段と、前記情報入力手段に入力された利用者情報から特定した利用者属性と予め記憶している広告映像の属性とを比較して適合する属性の広告映像を選択する広告映像選択手段と、前記広告映像選択手段が選択した広告映像を表示する広告映像表示手段と、を備え、
前記逆浸透膜で水道水から精製した浄水を無料で供給するときは、個々の利用者属性に適合する属性の広告映像を表示することを特徴とする。
【０００７】
また、本発明の請求項３に係る浄水供給装置は、上記請求項２において、前記情報入力手段は、利用者が所有している会員カードから利用者情報を読み取ることを特徴とする。
また、本発明の請求項４に係る浄水供給装置は、上記請求項２において、前記情報入力手段は、利用者が入力する会員番号から利用者情報を読み取ることを特徴とする。
また、本発明の請求項５に係る浄水供給装置は、上記請求項２において、前記情報入力手段は、前記浄水を供給する容器に設けられた情報タグから利用者情報を読み取ることを特徴とする。
【発明の効果】
【０００８】
請求項１の発明によれば、商品等の広告映像を表示する広告装置を設け、当該広告映像を利用者に見せることにより、容器載置口に載置した容器に逆浸透膜で水道水から精製した浄水を無料で供給する浄水供給装置において、前記容器載置口の開口を開閉する扉を施錠する施錠手段を設け、前記浄水を供給して前記広告映像を表示しているときは前記扉を施錠し、前記浄水の供給と前記広告映像の表示の何れもが終了すると前記扉を開錠するようにしたので、浄水供給装置の利用者が容器を容器載置口の容器載置台に載置して逆浸透膜で水道水から精製した浄水を無料で供給を受けるとき、広告装置が表示する商品等の広告映像が終了するまで見てもらうことができる。
【０００９】
また、請求項２の発明によれば、前記広告装置は、利用者の属性を特定するための利用者情報が入力される情報入力手段と、前記情報入力手段に入力された利用者情報から特定した利用者属性と予め記憶している広告映像の属性とを比較して適合する属性の広告映像を選択する広告映像選択手段と、前記広告映像選択手段が選択した広告映像を表示する広告映像表示手段と、を備え、前記逆浸透膜で水道水から精製した浄水を無料で供給するときは、個々の利用者属性に適合する属性の広告映像を表示するようにしたので、広告装置で表示する商品等の広告映像を商品購入見込み客に効率良く見てもらうことができる浄水供給装置を提供することができる。
【００１０】
また、請求項３の発明によれば、前記情報入力手段は、利用者が所有している会員カードから利用者情報を読み取るようにしたので、会員カードを所有している利用者の属性に適合する属性の商品等の広告映像を商品購入見込み客に見てもらうことができる。
また、請求項４の発明によれば、前記情報入力手段は、利用者が入力する会員番号から利用者情報を読み取るようにしたので、会員番号を入力した利用者の属性に適合する属性の商品等の広告映像を商品購入見込み客に見てもらうことができる。
【００１１】
また、請求項５の発明によれば、前記情報入力手段は、前記浄水を供給する容器に設けられた情報タグから利用者情報を読み取るようにしたので、情報タグが設けられている容器を所有している利用者の属性に適合する属性の商品等の広告映像を商品購入見込み客に見てもらうことができる。
【発明を実施するための最良の形態】
【００１２】
以下に添付図面を参照して、本発明に係る浄水供給装置の好適な実施の形態について詳細に説明する。なお、この実施の形態によりこの発明が限定されるものではない。
図１は本発明の実施の形態に係る浄水供給装置の外観を示す図である。浄水供給装置１は、利用者が会員カードを挿入または貨幣を投入し、容器載置口の容器載置台に容器を載置して浄水吐水釦を押圧すると、機内で逆浸透膜に浸透させて不純物を取り除き精製した浄水を吐水ノズルから容器に供給するもので、機器筐体の前扉２には、利用者が挿入した会員カードから利用者情報を読み取るカードリーダ３、貨幣を投入するための貨幣投入口４、挿入カードや投入貨幣を返却するための返却レバー５、貨幣を返却するための返却口６、容器載置口８の容器載置台９に載置した容器に浄水を供給するための浄水吐水釦７、容器載置口８の開口を開閉する扉１０を施錠する施錠装置（施錠手段）１１が設けてある。さらに、前扉２の上部には、商品等の広告映像を表示する広告装置５０が設けてある。
【００１３】
図２は本発明の実施の形態に係る浄水供給装置１に備えられる浄水回路２０を示す図である。浄水回路２０は、水道に直結した給水管２１に弁を開閉して水道水の給水、停止を行う水入口弁２２を設け、水入口弁２２を開いて加圧ポンプ２４を駆動すると、フィルタ２３を通過して鉄さび、チリ、ホコリや塩素化合物が除去された水道水が浄水精製管路２６の途中に設けたＲＯフィルタ２５に圧送され、ＲＯフィルタ２５に内蔵している逆浸透膜に水道水を浸透させて不純物を除去して精製された浄水が流量センサ２７を介して貯留水槽２８に送られて貯留される。貯留水槽２８には殺菌灯２９が設けられ、貯留している浄水に紫外線を照射して殺菌が行われる。また、貯留センサ３０を設け、貯留している浄水が所定量を下回ると水入口弁２２を開いて加圧ポンプ２４を駆動してＲＯフィルタ２５で精製した浄水を貯留水槽２８に供給し、所定の貯留量に達すると水入口弁２２を閉じて加圧ポンプ２４を停止させる。
【００１４】
そして、浄水供給装置１のカードリーダ３に利用者が会員カードを挿入して浄水吐水釦７を押圧して貯留水槽２８に貯留している浄水を容器載置台９に載置した容器Ｂに供給するときは、その都度、先ず、販売ポンプ３２を駆動して排水弁３９を開き、浄水供給管路３１内に滞留している滞留水を排水ノズル４０から排水受部４１に排水させて廃水タンク４２に廃棄し、その後、排水弁３９を閉じて浄水供給弁３７を開き、貯留水槽２８に貯留してある浄水をフィルタ３３を通過させて残留物や雑菌を除去して流量センサ３６を介して吐水ノズル３８から吐水して容器Ｂに供給する。また、浄水の供給が所定時間停止していると、販売ポンプ３２を駆動して循環弁３４を開き、貯留水槽２８に貯留している浄水をフィルタ３３を通過させて循環管路３５から貯留水槽２８に循環させる。
【００１５】
図３は、浄水供給装置１の制御系を示すブロック図である。制御装置（広告映像選択手段）５０は、ＣＰＵ（中央処理装置）５１、ＲＯＭ５２、ＲＡＭ５３で構成し、浄水を供給するための浄水吐出釦７、利用者が所有している会員カードから利用者情報を読み取るカードリーダ３、利用者が入力する会員番号から利用者情報を読み取る１０キー端末５４、浄水容器に設けられた情報タグ（例えばＩＣタグ）から利用者情報を読み取る情報タグ受信部５５、施錠装置１１、浄水回路２０、広告映像表示装置（広告映像表示手段）５９、利用者属性データベース５６、広告映像属性データベース５７、広告映像を記憶する広告映像データベース５８が接続され、各入力装置から情報が入力されると各部の動作を制御する。また、カードリーダ３、１０キー端末５４、情報タグ受信部５５が情報入力手段としての機能を持ち、図中一点鎖線で囲んだ機器で広告装置６０を構成している。
【００１６】
広告装置６０は、カードリーダ３、１０キー端末５４、または情報タグ受信部５５から読み取った利用者情報から利用者属性データベース５６に格納されている利用者属性を特定し、特定した利用者属性に適合する属性の広告映像を広告映像属性データベース５７に格納されている中から選択し、選択した属性の広告映像を広告映像データベース５８から読み出し、広告映像表示装置５９で表示する。
【００１７】
利用者属性データベース５６には、利用者の氏名、性別、生年月日、年齢、家族構成や趣味、購入希望商品、受けたいサービス等の情報が登録されている。
広告映像属性データベース５７には、利用者属性データベース５６に登録されている利用者情報に適合する広告映像の情報が登録され、広告映像データベース５８には広告映像属性データベース５７の情報に対応させた広告映像が記憶されている。従って、広告映像表示装置５９に表示して見せる広告映像は、浄水を無料で提供している広告提供側が見せたい商品購入見込み客に対して効率良く見てもらうことができる。
【００１８】
係る構成で、本発明の浄水供給装置１のカードリーダ３に利用者が会員カードを挿入すると、販売ポンプ３２を駆動して排水弁３９を開き、浄水供給管路３１内に滞留している滞留水を排水ノズル４０から排水受部４１に排水させ、廃水タンク４２に滞留水を廃棄して排水弁３９を閉じる。そして、利用者が浄水吐水釦７を押圧すると浄水供給弁３７を開き、貯留水槽２８に貯留してある浄水をフィルタ３３に通過させて残留物や雑菌を除去して流量センサ３６を介して吐水ノズル３８から吐水して容器載置口８の容器載置台９に載置した容器Ｂに供給する。
【００１９】
このときのカードリーダ３が会員カードから読み取った利用者情報に適合する広告映像を広告映像表示装置５９に表示する広告装置６０の制御を図４に示すフローチャート図を用いて説明する。浄水供給装置１のカードリーダ３に利用者が所有している会員カードが挿入されると、カードリーダ３は会員カードから利用者情報を読み取り（ステップＳ１）制御装置５０に出力する。カードリーダ３が読み取った利用者情報から制御装置５０は利用者属性データベース５６に格納されている利用者属性を特定し（ステップＳ２）、特定した利用者属性に適合する属性の広告映像を広告映像属性データベース５７に格納されている中から選択し（ステップＳ３）、選択した属性の広告映像を広告映像データベース５８から読み出し、広告映像表示装置５９で表示する（ステップＳ４）。このように、逆浸透膜で水道水から精製した浄水を無料で供給するときは、個々の利用者属性に適合する属性の広告映像を表示するようにしたので、広告装置６０で表示する商品等の広告映像を商品購入見込み客に効率良く見てもらうことができる浄水供給装置１を提供することができる。
【００２０】
また、広告映像表示装置５９が広告映像を表示するときの制御装置５０の施錠装置１１の施錠および開錠制御を図５に示すタイミングチャート図を用いて説明する。浄水供給装置１のカードリーダ３に利用者が会員カードを挿入して浄水吐水釦７を押圧すると、浄水回路２０が浄水の供給を開始し、広告装置６０は広告映像表示装置５９に利用者属性に適合する広告映像を選択して表示を開始する。同時に制御装置５０は施錠装置１１に信号を出力して扉１０を施錠させる。そして、浄水回路２０による浄水の供給が終了し、さらに、広告装置６０による広告映像の表示が終了すると施錠装置１１が扉１０を開錠するように制御装置５０が制御することにより、浄水供給装置１の利用者が容器Ｂを容器載置口８の容器載置台９に載置して逆浸透膜で水道水から精製した浄水を無料で供給を受けるとき、広告装置６０が表示する商品等の広告映像が終了するまで見てもらうことができる。
【００２１】
なお、利用者の属性を特定するための利用者情報が入力される情報入力手段としてカードリーダを用いて説明しているが、利用者が入力する会員番号から利用者情報を読み取る１０キー端末（会員番号入力手段）、浄水容器に設けられたＩＣタグ（情報タグ）から利用者情報を読み取るＩＣタグ（情報タグ）受信部など、情報入力手段としては利用者情報を読み取ることができる機器であればよい。
【図面の簡単な説明】
【００２２】
【図１】本発明の実施の形態に係る浄水供給装置の外観を示す図である。
【図２】図１に示した浄水供給装置の浄水回路を示す図である。
【図３】図１に示した浄水供給装置の制御系を示すブロック図である。
【図４】図３に示した広告装置の制御を示すフローチャート図である。
【図５】図３に示した施錠装置の制御を示すタイミングチャート図である。
【符号の説明】
【００２３】
１      浄水供給装置
２      前扉
３      カードリーダ（情報入力手段）
７      浄水吐水釦
８      容器載置口
９      容器載置台
１０      扉
１１      施錠装置（施錠手段）
２０      浄水回路
２５      ＲＯフィルタ（逆浸透膜）
２８      貯留水槽
５０      制御装置（広告映像選択手段）
５１      ＣＰＵ（中央処理装置）
５４      １０キー端末（情報入力手段）
５５      情報タグ受信部（情報入力手段）
５６      利用者属性データベース
５７      広告映像属性データベース
５８      広告映像データベース
５９      広告映像表示装置（広告映像表示手段）
６０      広告装置
Ｂ      容器
【図２】
2010067105.tif 000003
【図３】
2010067105.tif 000004
【図４】
2010067105.tif 000005
【図５】
2010067105.tif 000006
【図１】
2010067105.tif 000007